(57)【要約】      （修正有）【課題】手軽に持ち運ぶことができ、収容スペースが小さくて済む折りたたみテーブルを提供する。【解決手段】天板を有する天板部材と、天板部材の天板を支持する脚を有する脚部材と、を備え、天板部材は、天板の周囲に立つ枠部をさらに有し、脚部材は、脚を成す平板状の脚板を複数設け、複数の脚板の端部どうしを連結部で連結して成り、脚板の端部どうしの連結部は可撓性を有して、複数の脚板どうしを重ね合わせて閉じられること、および複数の脚板どうしを開いて所定の角度を成すことにより複数の脚板の面が床にほぼ垂直に位置しながら床に立つ。テーブルとして使用する際には、複数の脚板どうしを開いた状態の脚部材の上部に、天板部材の枠部を嵌めて脚で天板を支持し、テーブルを折りたたむ際には、複数の脚板どうしを閉じた状態の脚部材を天板に重ねる。【選択図】図２
0003170601.tif 000002
【実用新案登録請求の範囲】
【請求項１】
天板を有する天板部材と、前記天板部材の天板を支持する脚を有する脚部材と、を備え、
前記天板部材は、前記天板の周囲に立つ枠部をさらに有し、
前記脚部材は、前記脚を成す平板状の脚板を複数設け、前記複数の脚板の端部どうしを連結部で連結して成り、該脚板の端部どうしの連結部は可撓性を有して、前記複数の脚板どうしを重ね合わせて閉じられること、および前記複数の脚板どうしを開いて所定の角度を成すことにより該複数の脚板の面が床にほぼ垂直に位置しながら床に立つこと、を可能とし、
テーブルとして使用する際には、
前記複数の脚板どうしを開いた状態の前記脚部材の上部に、前記天板部材の前記枠部を嵌めて前記脚で前記天板を支持し、
テーブルを折りたたむ際には、
前記複数の脚板どうしを閉じた状態の前記脚部材を前記天板に重ねる、
ことを特徴とする折りたたみテーブル。
【請求項２】
前記天板部材は、前記天板の前記枠部が立つ側の面と同じ面に、前記複数の脚板どうしを閉じた状態の前記脚部材を重ねて留める留め具をさらに有することを特徴とする請求項１に記載の折りたたみテーブル。
【請求項３】
前記複数の脚板のそれぞれは前記天板よりも小さいことを特徴とする請求項１または２に記載の折りたたみテーブル。
【請求項４】
前記複数の脚板のそれぞれがアーチ形状であることを特徴とする請求項１ないし３のうちのいずれか１項に記載の折りたたみテーブル。
【請求項５】
前記枠部が前記天板の面に沿って閉じるように折り込み可能な折り込み部を有することを特徴とする請求項１ないし４のうちのいずれか１項に記載の折りたたみテーブル。
【請求項６】
前記枠部が、前記使用者が掴む持ち手を有することを特徴とする請求項１ないし５のうちのいずれか１項に記載の折りたたみテーブル。
【考案の詳細な説明】
【技術分野】
【０００１】
本考案は折りたたみテーブルに関する。
【背景技術】
【０００２】
従来、使用時には脚部を開き、テーブルとして脚部にて天板を支え、例えば保管時には脚部を折りたたんで天板に重ねて収容スペースの削減を図った折りたたみテーブルが知られている（例えば特許文献１参照）。
【先行技術文献】
【特許文献】
【０００３】
【特許文献１】特開２００８−２３２８４号公報
【考案の概要】
【考案が解決しようとする課題】
【０００４】
ところが、特許文献１に記載のような従来の折りたたみテーブルでは、複雑な脚部の折りたたみ機構を有し、また十分な強度が必要であるため、重量が増大してしまい、手軽に持ち運ぶことができず、また、収容スペースも大きなものとなってしまっていた。
【０００５】
本考案は上記の点にかんがみてなされたもので、手軽に持ち運ぶことができ、収容スペースが小さくて済む折りたたみテーブルを提供することを目的とする。
【課題を解決するための手段】
【０００６】
本考案は上記の目的を達成するために、折りたたみテーブルにおいて、天板を有する天板部材と、前記天板部材の天板を支持する脚を有する脚部材と、を備え、前記天板部材は、前記天板の周囲に立つ枠部をさらに有し、前記脚部材は、前記脚を成す平板状の脚板を複数設け、前記複数の脚板の端部どうしを連結部で連結して成り、該脚板の端部どうしの連結部は可撓性を有して、前記複数の脚板どうしを重ね合わせて閉じられること、および前記複数の脚板どうしを開いて所定の角度を成すことにより該複数の脚板の面が床にほぼ垂直に位置しながら床に立つこと、を可能とし、テーブルとして使用する際には、前記複数の脚板どうしを開いた状態の前記脚部材の上部に、前記天板部材の前記枠部を嵌めて前記脚で前記天板を支持し、テーブルを折りたたむ際には、前記複数の脚板どうしを閉じた状態の前記脚部材を前記天板に重ねる、ことを特徴とする。
【０００７】
また、本考案は、前記天板部材は、前記天板の前記枠部が立つ側の面と同じ面に、前記複数の脚板どうしを閉じた状態の前記脚部材を重ねて留める留め具をさらに有することを特徴とする。
【０００８】
また、本考案は、前記複数の脚板のそれぞれは前記天板よりも小さいことを特徴とする。
【０００９】
また、本考案は、前記複数の脚板のそれぞれがアーチ形状であることを特徴とする。
【００１０】
また、本考案は、前記枠部が前記天板の面に沿って閉じるように折り込み可能な折り込み部を有することを特徴とする。
【００１１】
また、本考案は、前記枠部が、前記使用者が掴む持ち手を有することを特徴とする。
【考案の効果】
【００１２】
本考案によれば、軽量で、手軽に持ち運ぶことができ、収容スペースが小さくて済む折りたたみテーブルを提供することができる。
【図面の簡単な説明】
【００１３】
【図１】本考案による折りたたみテーブルの一実施の形態の外観を示す斜視図である。
【図２】図１に示した折りたたみテーブル１の天板部材２を脚部材３から外した状態を示す斜視図である。
【図３】図１に示した天板部材２を、図２の下方から見た斜視図である。
【図４】図１に示した脚部材３を示す斜視図であり、（ａ）は図２に示した状態から少し折りたたんだ状態を示す図であり、（ｂ）は（ａ）からさらに折りたたんだ状態を示す図であり、（ｃ）は（ｂ）からさらに折りたたみ、ほぼ折りたたみ終えた状態を示す図である。
【図５】折りたたみテーブル１を折りたたんだ状態を示す図であり、（ａ）は天板部材２に脚部材３を収容した状態を示す斜視図であり、（ｂ）は（ａ）の状態からさらに枠部２２を天板２１の面に沿って閉じた状態を示す斜視図である。
【図６】使用者が折りたたみテーブル１の持ち手２３を掴んで持ち運ぶ様子を示す斜視図である。
【考案を実施するための形態】
【００１４】
以下、本考案の実施の形態を図面を参照して詳しく説明する。
【００１５】
本考案の目的、作用、効果、そのほかの目的、特徴および動作上の利点が、好適な実施の形態の説明によって明確になるであろう。
【００１６】
参考としてここに開示される実施の形態は、様々な実施可能な例の中から当業者の理解を助けるために最も好適な実施の形態を選定して提示したものに過ぎず、本考案の技術的思想が必ずしもこの実施の形態に限定あるいは制限されるものではない。本考案の技術的思想から逸脱することなく、様々な変化、付加および変更が可能なのは勿論、均等な他の実施も可能であり、これらも本考案に含まれることを明らかにしておく。
【００１７】
図１は、本考案による折りたたみテーブルの一実施の形態の外観を示す斜視図である。
【００１８】
図１に示すように、本実施の形態の折りたたみテーブル１は、脚３１を有する脚部材３に、天板２１を有する天板部材２を嵌めて構成される。脚部材３から天板部材２を外した状態を図２に示す。
【００１９】
図２は、図１に示した折りたたみテーブル１の天板部材２を脚部材３から外した状態を示す斜視図である。
【００２０】
本実施の形態では、天板２１の面の形状は正方形であり、その４つの頂点位置のそれぞれに脚３１を有するが、本考案においては天板２１の面の形状は正方形に限られるものではなく、その他の四角形でもよいし、他の多角形や円形等であってもかまわない。この場合、脚３１の数は、天板２を支持する際に安定するように３つ以上であることが望ましいが、後述のように折りたためることが必要である。
【００２１】
図３は、図１に示した天板部材２を、図２の下方から見た斜視図である。なお、以下においては、天板２１をテーブルとして用いる際の上面を表面とも呼び、下面を裏面とも呼ぶ。
【００２２】
天板２１は、例えば繊維板を用いることができ、この繊維板を所望の天板形状に成形して成る。
【００２３】
天板部材２は、天板２１の周囲四方において裏面側に立つ（すなわち、面とほぼ垂直な方向に延伸する）方形の枠部２２をさらに有する。枠部２２は、例えば、天板２１の周囲四方に対応する４枚の繊維板を所望の枠形状に成形して成り、この４枚の繊維板を天板２１の周囲四方に配置し、この形状にフィットするように例えば不織布で覆って、天板部材２が成る。
【００２４】
枠部２２には折り込み可能な折り込み部２２ａを設けており、この折り込み部２２ａを例えば谷折りすることで、枠部２２の４枚の繊維板のそれぞれを、天板２１の裏面に寝かせて重ね合わせ（すなわち枠部２２を天板２１の面に沿って閉じ）、厚さを薄くすることができる。
【００２５】
また、天板２１の周囲四方に配置した枠部２２の少なくとも１つには例えば使用者が掴むことができる持ち手２３を設けている。
【００２６】
さらに、天板２１の裏面には、脚部材３を天板部材２に固定し留める留め具２４を設けている。本実施の形態では、この留め具２４は弾性を有するベルト状部材であり、このベルト状部材を２本設けている。留め具２４の上端および下端は、天板２１の裏面に、接着剤や縫い付け等により固定されており、中央部を天板２１の裏面から引き離して隙間を形成し、その隙間に脚部材３を挟み込み、留め具２４の弾性で保持し、これによって脚部材３を天板部材２に固定し留める。このとき、脚部材３は、後述のように折りたたんだ状態にする。
【００２７】
図４は、図１に示した脚部材３を示す斜視図であり、（ａ）は図２に示した状態から少し折りたたんだ状態を示す図であり、（ｂ）は（ａ）からさらに折りたたんだ状態を示す図であり、（ｃ）は（ｂ）からさらに折りたたみ、ほぼ折りたたみ終えた状態を示す図である。
【００２８】
脚部材３は、脚３１を成す平板状の脚板３２を複数設け、複数の脚板３２の端部どうしを連結部３３で連結して成る。本実施の形態では、４枚の脚板３２を設けており、この４枚はほぼ同形状であってほぼアーチ形状である。
【００２９】
図４（ａ）に示すように、４枚の脚板３２のそれぞれは、隣接する脚板３２と側端部どうしを連結部３３で連結される。この連結部３３は可撓性を有して、脚板３２どうしを重ね合わせて閉じられるものであればよく、例えば４枚の脚板３２の側端部どうしを近接させて配置し、この形状にフィットするように例えば不織布で覆うようにしてもよい。この場合、不織布によって連結部３３が形成される。
【００３０】
脚部材３は、図２に示すように開いた状態（例えば隣接する脚板３２どうしが例えば９０°の角度を成す状態）で安定して床に立つ。このとき、複数の脚板３２のそれぞれの面は床にほぼ垂直に位置する。
【００３１】
折りたたみテーブル１をテーブルとして使用する際には、複数の脚板３２どうしを開いた状態の脚部材３の上部に、天板部材２の枠部２２を嵌めて脚３１で天板２１を支持する。
【００３２】
一方、テーブルを折りたたむ際には、脚部材３の上部から天板部材２を外し、図４（ａ）、（ｂ）および（ｃ）に示すように、複数の脚板３１どうしを重ね合わせて閉じ、これを天板部材２の留め具２４で固定する。この様子を図５に示す。
【００３３】
図５は、折りたたみテーブル１を折りたたんだ状態を示す図であり、（ａ）は天板部材２に脚部材３を収容した状態を示す斜視図であり、（ｂ）は（ａ）の状態からさらに枠部２２を天板２１の面に沿って閉じた状態を示す斜視図である。
【００３４】
複数の脚板３２どうしを重ねて閉じた状態の脚部材３を天板２１に重ね、すなわち、脚部材３は、図４（ｃ）に示した状態で、天板部材２の留め具２４で固定され、図５（ａ）に示すように天板部材２に収容される。このとき、天板２１の周囲四方を囲む枠部２２内に、脚部材３が完全に収まるのが望ましく、したがって、複数の脚板３２のそれぞれは天板２１よりも小さいことが望ましい。この状態からさらに枠部２２の折り込み部２２ａを例えば谷折りすることで、枠部２２の４枚の繊維板のそれぞれを、天板２１の裏面に寝かせて重ね合わせ、折りたたみテーブル１全体の厚さを薄くすることができ（図５（ｂ）参照）、折りたたみテーブル１の収納スペースが小さくて済む。枠部２２はこの閉じた状態を維持可能なようにボタン等を設けて固定するようにしてもよい。
【００３５】
さらに、本実施の形態では、枠部２２に持ち手２３を設けており、使用者がこの持ち手２３を掴むことにより、折りたたみテーブル１を持ち運ぶことを容易にしている。
【００３６】
図６は、使用者が折りたたみテーブル１の持ち手２３を掴んで持ち運ぶ様子を示す斜視図である。
【００３７】
図６に示すように、使用者は折りたたみテーブル１の持ち手２３を掴むことによって、折りたたみテーブル１を容易に持ち運ぶことができる。
【符号の説明】
【００３８】
１  折りたたみテーブル
２  天板部材
３  脚部材
２１  天板
２２  枠部
２２ａ  折り込み部
２３  持ち手
２４  ベルト（留め具）
３１  脚
３２  脚板
３３  連結部
【図１】
0003170601.tif 000003
【図２】
0003170601.tif 000004
【図３】
0003170601.tif 000005
【図４】
0003170601.tif 000006
【図５】
0003170601.tif 000007
【図６】
0003170601.tif 000008